(57)【特許請求の範囲】
【請求項１】
給水された水と薬剤を混合させることにより薬剤溶液を放出可能な薬剤容器を備えた吐水装置であって、前記薬剤容器内部に、薬剤溶液の比重の変化により、前記薬剤溶液中を移動する薬剤寿命表示手段を設け、前記薬剤寿命表示手段は、水より比重が大きく、薬剤溶液より比重が小さいことを特徴とする吐水装置。
【請求項２】
前記薬剤寿命表示手段は、薬剤溶液の比重が小さくなるにつれて、前記薬剤容器の下方に移動することを特徴とする請求項１記載の吐水装置。
【発明の詳細な説明】
【０００１】
【発明の属する技術分野】
本発明は、浴室用、洗面所用、台所用などの吐水装置に関する。
【０００２】
【従来の技術】
従来より、給水された水に薬剤を混入する装置を設けた吐水装置には様々なものが知られているが、このものにおいては薬剤の寿命を判定するため色素を布などに染み込ませて、その色落ち具合によって寿命を判定するものが提供されている。
【０００３】
【発明が解決しようとする課題】
しかしながら、このものにおいては色の落ち具合を人の目によって判断するものであるが、色というのは周りの環境、例えば部屋の明るさや壁の色などによって違って見えるものであり、正確に見分けることは非常に困難である。また、吐水装置を使用しない状態であっても色落ちする可能性もあることから考えると、薬剤の寿命を正確に知る事ができないため、薬剤による充分な効果を得られなかったり、薬剤を無駄にすることがある。
【０００４】
本発明はこの様な課題に鑑みてなされたものであり、薬剤を混入する機構を設けた吐水装置において薬剤の寿命を正確に知る事のできる吐水装置を提供することを目的としている。
【０００５】
【課題を解決するための手段】
給水された水と薬剤を混合させることにより薬剤溶液を放出可能な薬剤容器を備えた吐水装置であって、前記薬剤容器内部に、薬剤溶液の比重の変化により、前記薬剤溶液中を移動する薬剤寿命表示手段を設け、前記薬剤寿命表示手段は、水より比重が大きく、薬剤溶液より比重が小さいことを特徴としている。
【０００６】
上記課題を解決するため本発明は、前記薬剤寿命表示手段は、薬剤溶液の比重が小さくなるにつれて、前記薬剤容器の下方に移動することを特徴としている。
【００１１】
【作用】
このようにすることで、吐水装置に設けた薬剤混入機構の薬剤の寿命を正確に判断できるため、常時適度に薬剤を供給することが可能となり、また、薬剤を無駄にすることがない。
【００１２】
【実施例】
以下、図面に示す実施例に基づいて本発明を説明する。
図１、図2は本発明吐水装置の第１実施例を示すシャワーヘッドの断面図で、図１は薬剤溶液の比重が大きい時の状態を示したもの、図2は薬剤溶液の比重が小さくなった時の状態を示したものである。
図３、図４は本発明吐水装置の第２実施例を示すシャワーヘッドの断面図で、図３は薬剤溶液の色が濃い時の状態を示したもの、図４は薬剤溶液の色が薄くなった時の状態を示したものである。
図５、図６は本発明吐水装置の第３実施例を示すシャワーヘッドの断面図で、図５は寿命表示器の形状が変化する前の状態を示したもの、図６は寿命表示器の形状が変化した後の状態を示したものである。
図７、図８は本発明吐水装置の第４実施例を示すシャワーヘッドの断面図で、図７は薬剤の大きさが変化する前の状態を示したもの、図８は薬剤の大きさが変化した後の状態を示したものである。
【００１３】
第１実施例について説明すると、図１のシャワーヘッド本体１は下端に給水口２、上端に散水部３を設け、内側に形成された中空部内には薬剤入りの薬剤容器４がスプリング５によって下方に付勢された状態で収容されている。
【００１４】
薬剤容器の底部には薬剤を放出するための開口部６があり、この開口部には流水の同圧を受けて、薬剤を徐々に放出する膜７が設けられている。
【００１５】
この開口部６の下方に位置するところには、開口部を塞ぐための弁体８がシャワーヘッド本体側に取り付けられている。
【００１６】
薬剤容器４の内部には容器の内部で移動可能な寿命表示器９が設けられており、この寿命表示器９は水より比重が大きく薬剤より比重が小さな材質によって形成されている。
【００１７】
この薬剤容器４は内部が可視状態となるように容器の全体かまたはその一部が、透明または半透明の材質を用いて形成されている。
【００１８】
シャワーヘッド本体１も薬剤容器４と同様に、内部が可視状態となるように全体かまたはその一部が、透明または半透明の材質を用いて形成されている。
【００１９】
給水口２より湯水が供給されると薬剤容器４が水圧によって散水部側に押し上げられ、薬剤容器４と弁体８が離れて薬剤容器４の開口部６が開放される。この状態になると薬剤容器４の薬剤を放出する開口部６に設けられた膜７に動圧が掛かり、薬剤が徐々に放出されシャワーヘッド本体１内部で湯水に混入される。薬剤が混入された湯水はシャワーヘッド本体１の散水部３より散水される。
【００２０】
この様にして薬剤容器４より徐々に薬剤は放出されるが、この時放出された薬剤と入れ替わるようにして供給された湯水の一部が開口部６の膜を通して少しづつ薬剤容器４の内部に浸入し、薬剤と混合していく。
【００２１】
これによって、薬剤容器４内部の薬剤と湯水の比率が徐々に変化し、それに応じて両者を混合した薬剤溶液の比重も変化していく。
【００２２】
薬剤容器４の内部に設けられた寿命表示器９は、図1のように薬剤容器４中の薬剤溶液の比重が大きい状態では薬剤溶液に浮くため薬剤容器４の上方に位置しており、図2のように薬剤溶液の比重が小さくなると下方に下がってくる。そして薬剤容器４中に薬剤がほぼなくなった状態では遂に薬剤容器４の底面まで下がることになる。
【００２３】
従って本実施例においてはシャワーヘッド本体１を使用する時間が長くなるにつれ、薬剤容器４中の薬剤溶液の比重が徐々に小さくなり、それに応じて寿命表示器９が下方に下がってくる。
【００２４】
シャワーヘッド本体１の使用者はこの寿命表示器９の薬剤容器４内部での位置を見る事により、薬剤の残り具合を確認することが可能で、寿命表示器９が薬剤容器４の底面まで下がることにより、薬剤の寿命を知り薬剤容器４の交換または、薬剤の補充の時期を的確に判断することができる。
【００２５】
本実施例においては薬剤の比重は水の比重より大きいものを使用しているが、これに限定されず薬剤の比重は水の比重より小さいものを使用しても良い。この場合寿命表示器の比重は水より小さく薬剤より大きいものを使用し、使用時間が長くなるに従って薬剤溶液の比重が大きくなると、それに応じて寿命表示器は薬剤容器の上方に移動する。
【００２６】
続いて第２実施例について説明すると、図３のシャワーヘッド本体１は下端に給水口２、上端に散水部３を設け、内側に形成された中空部内には薬剤入りの薬剤容器４がスプリング５によって下方に付勢された状態で収容されている。
【００２７】
薬剤容器の底部には薬剤を放出するための開口部６があり、この開口部には流水の同圧を受けて、薬剤を徐々に放出する膜７が設けられている。
【００２８】
この開口部６の下方に位置するところには、開口部を塞ぐための弁体８がシャワーヘッド本体側に取り付けられている。
【００２９】
薬剤容器４の内部には薬剤と湯水の溶液と同色系で溶液よりもやや薄い色のもので形成された寿命表示１０が設けられている。
【００３０】
この薬剤容器４は内部が可視状態となるように容器の全体かまたはその一部が、透明または半透明の材質を用いて形成されている。
【００３１】
シャワーヘッド本体１も薬剤容器４と同様に、内部が可視状態となるように全体かまたはその一部が、透明または半透明の材質を用いて形成されている。
【００３２】
給水口２より湯水が供給されると薬剤容器４が水圧によって散水部側に押し上げられ、薬剤容器４と弁体８が離れて薬剤容器４の開口部６が開放される。この状態になると薬剤容器４の薬剤を放出する開口部６に設けられた膜７に動圧が掛かり、薬剤が徐々に放出されシャワーヘッド本体１内部で湯水に混入される。薬剤が混入された湯水はシャワーヘッド本体１の散水部３より散水される。
【００３３】
この様にして薬剤容器４より徐々に薬剤は放出されるが、この時放出された薬剤と入れ替わるようにして供給された湯水の一部が開口部６の膜７を通して少しづつ薬剤容器４の内部に浸入し、薬剤と混合していく。
【００３４】
これによって、薬剤容器４内部の薬剤と湯水の比率が徐々に変化し、それに応じて両者の溶液の色が変化していく。
【００３５】
薬剤容器４内部に設けられた寿命表示１０は薬剤溶液と同色系の薄い色で形成されているため、薬剤溶液の色が濃い状態では外部から見えない状態になっているが、薬剤溶液の色が薄くなり、溶液の色が薄くなることによって可視状態となる。そして遂には寿命を知らせる文字１１やマーク１２として認識できる様になる。
【００３６】
従って本実施例においてはシャワーを使用する時間が長くなるにつれ、薬剤容器４中の薬剤溶液の色が徐々に薄くなり、それに応じて寿命表示１０が可視状態になる。
【００３７】
シャワー装置の使用者はこの寿命表示１０の文字１１またはマーク１２を見る事により、薬剤の残り具合を確認することが可能で、寿命表示１０が完全に文字１１またはマーク１２として認識される様になることにより、薬剤の寿命を知り薬剤容器４の交換または、薬剤の補充の時期を的確に判断することができる。
【００３８】
続いて第３実施例について説明すると、図５のシャワーヘッド本体１は下端に給水口２、上端に散水部３を設け、内側に形成された中空部内には薬剤入りの薬剤容器４がスプリング５によって下方に付勢された状態で収容されている。
【００３９】
薬剤容器４の底部には薬剤を放出するための開口部６があり、この開口部６には流水の同圧を受けて、薬剤を徐々に放出する膜７が設けられている。
【００４０】
この開口部６の下方に位置するところには、開口部６を塞ぐための弁体８がシャワーヘッド本体側に取り付けられている。
【００４１】
薬剤容器４の内部には塩素に反応して湯水に溶ける材質によってコーティングされた寿命表示器１１が設けられている。
【００４２】
この薬剤容器４は内部が可視状態となるように容器の全体かまたはその一部が、透明または半透明の材質を用いて形成されている。
【００４３】
シャワーヘッド本体１も薬剤容器４と同様に、内部が可視状態となるように全体かまたはその一部が、透明または半透明の材質を用いて形成されている。
【００４４】
給水口２より湯水が供給されると薬剤容器４が水圧によって散水部側に押し上げられ、薬剤容器４と弁体８が離れて薬剤容器４の開口部６が開放される。この状態になると薬剤容器４の薬剤を放出する開口部６に設けられた膜７に動圧が掛かり、薬剤が徐々に放出されシャワーヘッド本体１内部で湯水に混入される。薬剤が混入された湯水はシャワーヘッド本体１の散水部３より散水される。
【００４５】
この様にして薬剤容器４より徐々に薬剤は放出されるが、この時放出された薬剤と入れ替わるようにして供給された湯水の一部が開口部６の膜７を通して少しづつ薬剤容器４の内部に浸入し、薬剤と混合していく。
【００４６】
これによって、薬剤容器４内部の薬剤溶液は徐々に色が薄くなっていく。
【００４７】
薬剤容器４内部に設けられた寿命表示器１１は塩素に反応して湯水に溶ける材質によってコーティングされており、薬剤容器４中に薬剤が残っている状態では薬剤容器４中の塩素が除去されるためコーティング材は溶けず外部からは見えない状態になっているが、薬剤容器４中の薬剤がなくなると薬剤容器４中の塩素が除去されないため、図６のようにコーティング材が溶け出し寿命表示器１２の様に形状が変化する。そして遂には寿命を知らせる所要の形状として認識できる様になる。
【００４８】
従って本実施例においてはシャワー装置を使用する時間が長くなるにつれ、薬剤容器４中の薬剤の量が徐々に少なくなり、それに応じて寿命表示器１１の形状が変化する。
【００４９】
シャワー装置の使用者はこの寿命表示器１１の形状の変化を見る事により、薬剤の残り具合を確認することが可能で、寿命表示器１１が薬剤の寿命を知らせるための所要の形状として認識される様になることにより、薬剤の寿命を知り薬剤容器４の交換または、薬剤の補充の時期を的確に判断することができる。
【００５０】
続いて第４実施例について説明すると、図７のシャワーヘッド本体１は下端に給水口２、上端に散水部３を設け、内側に形成された中空部内には薬剤入りの薬剤容器４がスプリング５によって下方に付勢された状態で収容されている。
【００５１】
薬剤容器４の底部には薬剤を放出するための開口部６があり、この開口部６には流水の同圧を受けて、薬剤を徐々に放出する膜７が設けられている。
【００５２】
この開口部６の下方に位置するところには、開口部６を塞ぐための弁体８がシャワーヘッド本体側に取り付けられている。
【００５３】
薬剤容器４の内部には塩素に反応して塩素を除去する性質の薬剤１３が内包されている。
【００５４】
この薬剤容器４は内部が可視状態となるように容器の全体かまたはその一部が、透明または半透明の材質を用いて形成されている。
【００５５】
シャワーヘッド本体１も薬剤容器４と同様に、内部が可視状態となるように全体かまたはその一部が、透明または半透明の材質を用いて形成されている。
【００５６】
給水口２より湯水が供給されると薬剤容器４が水圧によって散水部側に押し上げられ、薬剤容器４と弁体８が離れて薬剤容器４の開口部６が開放される。この状態になると薬剤容器４の薬剤を放出する開口部６に設けられた膜７に動圧が掛かり、薬剤が徐々に放出されシャワーヘッド本体１内部で湯水に混入される。薬剤が混入された湯水はシャワーヘッド本体１の散水部３より散水される。
【００５７】
この様にして薬剤容器４より徐々に薬剤は放出されるが、この時放出された薬剤と入れ替わるようにして供給された湯水の一部が開口部６の膜７を通して少しづつ薬剤容器４の内部に浸入し、薬剤と混合していく。
【００５８】
本実施例においては、図８に示すようにシャワー装置を使用する時間が長くなるにつれ、薬剤容器４内部の粒状の薬剤１３一粒一粒の形状が徐々に小さくなっていく。そして遂には寿命を知らせる所要の形状として認識できる様になり、薬剤１３がなくなる前に薬剤の寿命がわかるようになっており、薬剤容器４の交換または、薬剤の補充の時期を的確に判断することができる。
【００５９】
薬剤の補充は薬剤容器の蓋体をあけ、そこから別体の薬剤を添加することにより可能となる。
【００６０】
本発明は上述の実施例に限定されること無く種々の変形が可能であり、薬剤の形状も粒状に限定されることなく、三角すいや立方体や粉状なども可能でありまた変化も小さく変化するばかりでなく、他の形状や大きさ、量へと変化するたとえば大きく変化したり形状が細長く変化することによって、寿命を認識することができる。
【００６１】
続いて第６実施例について説明すると、図示はしていないが、実施例１から４に用いたシャワーヘッドと同様に薬剤容器中に薬剤を含有したシャワーヘッドにおいて、薬剤の臭いの変化によって、薬剤の寿命を知らせることが可能となる。
【００６２】
本発明は薬剤がなくなると薬剤以外の、塩素と反応して臭いを発する芳香剤から臭いがするものである。
【００６３】
本発明は上述の実施例に限定されること無く種々の変形が可能であり、ハンドシャワーのみならず、例えば衛生洗浄装置のノズル、台所用水栓、洗面用水栓など種々の吐水装置に用いることができ、また、薬剤容器は吐水装置本体とは別の場所に設けることもできる。
【００６４】
【発明の効果】
本発明は以上のように構成したので、薬剤の寿命を的確に判断することができるようになり、常に薬剤による効能を受けた湯水を使用することができ、また、寿命前の薬剤容器を交換するなどして薬剤を無駄に使用することもない。
【図面の簡単な説明】
【図１】  本発明吐水装置の第１実施例で薬剤溶液の比重が大きい場合を示すシャワーヘッド要部の断面図である。
【図２】  本発明吐水装置の第１実施例で薬剤溶液の比重が小さい場合を示すシャワーヘッド要部の断面図である。
【図３】  本発明吐水装置の第２実施例で薬剤溶液の色が濃い場合を示すシャワーヘッド要部の断面図である。
【図４】  本発明吐水装置の第２実施例で薬剤溶液の色が薄い場合を示すシャワーヘッド要部の断面図である。
【図５】  本発明吐水装置の第３実施例で寿命表示器の形状が変化する前の状態を示すシャワーヘッド要部の断面図である。
【図６】  本発明吐水装置の第３実施例で寿命表示器の形状が変化した後の状態を示すシャワーヘッド要部の断面図である。
【図７】  本発明吐水装置の第４実施例で薬剤の形状や大きさが変化する前の状態を示すシャワーヘッド要部の断面図である。
【図８】  本発明吐水装置の第４実施例で薬剤の形状や大きさが変化した後の状態を示すシャワーヘッド要部の断面図である。
【符号の説明】
１・・シャワーヘッド本体
２・・給水口
３・・散水部
４・・薬剤容器
５・・スプリング
６・・開口部
７・・膜
８・・弁体
９・・寿命表示器
１０・・寿命表示器
１１・・寿命表示器
１２・・寿命表示器
１３、１４、１５、１６・・薬剤
【図１】
0003909635.tif 000002
【図２】
0003909635.tif 000003
【図３】
0003909635.tif 000004
【図４】
0003909635.tif 000005
【図５】
0003909635.tif 000006
【図６】
0003909635.tif 000007
【図７】
0003909635.tif 000008
【図８】
0003909635.tif 000009